(57)【要約】【課題】  従来よりも簡単に装身具に対して留め付けることが可能であるとともに、留め付け対象となる部分の寸法・形状・材質にあまりとらわれない装身具用留め具及びこれを備える装身具を提供する。【解決手段】  第１及び第２本体部１，２と、第１及び第２本体部１，２を相互に開閉可能に軸支する軸支部４を備える。第１及び第２本体部１，２において、軸支部４に対して一方の側に位置する部分である挟持部２１，２２どうしを互いに押し付け合わせるべく第１及び第２本体部１，２を付勢する付勢手段３を備える。付勢手段３による付勢に従って挟持部２１，２２により線状部５５を挟持することにより、装身具用留め具１０を装身具５０に対して留め付け可能である。付勢手段３の付勢力及び挟持部２１，２２の形状は、装身具用留め具１０を装身具５０に対して留め付けた状態で、装身具用留め具１０を線状部５５の長手方向に移動可能となるように設定されている。【選択図】    図４
2007307065.tif 000002
【特許請求の範囲】
【請求項１】
線状部を備える装身具に対して留め付け可能な装身具用留め具において、
第１及び第２本体部と、
前記第１及び第２本体部を相互に開閉可能に軸支する軸支部と、
前記第１及び第２本体部において、前記軸支部に対して一方の側に位置する部分である挟持部どうしを互いに押し付け合わせるべく前記第１及び第２本体部を付勢する付勢手段と、
を備え、
前記付勢手段による付勢に従って前記挟持部により前記線状部を挟持することにより、当該装身具用留め具を前記装身具に対して留め付け可能であり、
前記付勢手段の付勢力及び前記挟持部の形状は、当該装身具用留め具を前記装身具に対して留め付けた状態で、当該装身具用留め具を前記線状部の長手方向に移動可能となるように設定されていることを特徴とする装身具用留め具。
【請求項２】
前記第１及び第２本体部において、前記軸支部に対して前記挟持部とは反対側の部分である操作部どうしを、前記付勢手段による付勢に抗して互いに近づけるように操作することにより、前記挟持部どうしが開くことを特徴とする請求項１に記載の装身具用留め具。
【請求項３】
前記第２本体部の先端部には、該第２本体部の基端部側に向けて折り返されたように湾曲し、当該装身具用留め具が装身具の線状部から脱落してしまうことを防止する返し部が形成されていることを特徴とする請求項１又は２に記載の装身具用留め具。
【請求項４】
当該装身具用留め具を装身具の一部に留め付けた際に該装身具の一部を保持する前記第１本体部と前記第２本体部との間の空間を保持空間とすると、
前記保持空間内に位置する装身具の一部が前記軸支部の方に移動してしまうことを阻止する阻止部が、前記第１及び第２本体部のうちの何れか一方に形成されていることを特徴とする請求項１乃至３の何れか一項に記載の装身具用留め具。
【請求項５】
当該装身具用留め具を装身具の一部に留め付けた際に該装身具の一部を保持する前記第１本体部と前記第２本体部との間の空間を保持空間とすると、
前記第１及び第２本体部のうちの少なくとも一方の先端部の外側には、装身具の一部を前記保持空間内へと誘導するための傾斜部が形成されていることを特徴とする請求項１乃至４の何れか一項に記載の装身具用留め具。
【請求項６】
前記第１及び第２本体部は金属からなることを特徴とする請求項１乃至５の何れか一項に記載の装身具用留め具。
【請求項７】
前記第１本体部の挟持部は、前記第２本体部の挟持部側に向けて細くなる山型形状をなし、前記第２本体部の挟持部は、前記第１本体部の挟持部側に向けて細くなる山型形状をなしていることを特徴とする請求項１乃至６の何れか一項に記載の装身具用留め具。
【請求項８】
請求項１乃至７の何れか一項に記載の装身具用留め具を備えることを特徴とする装身具。
【発明の詳細な説明】
【技術分野】
【０００１】
本発明は、装身具用留め具及びこれを備える装身具に関する。
【背景技術】
【０００２】
従来、例えば、ネックレス、ブレスレット、ペンダント或いはその他の装身具１５０としては、例えば、図１２に斜視図を示すものがある。
【０００３】
図１２に示すように、装身具１５０は、例えば、複数個の珠型の装飾部材１５１を連ねて構成された連珠体１５２と、例えば、この連珠体１５２の一端部に対して連結環１５３を介して連結されたボールチェーン１５４と、このボールチェーン１５４の先端側に対して連結環１５５を介して連結された装飾部材１５６と、ボールチェーン１５４に外挿されたアジャスター２００と、このアジャスター２００に対して連結環１５７を介して連結された留め具１００と、連珠体１５２の他端部に対して連結環１５８，１６０を介して連結された被係止部材１５９と、を備えて構成されている。
【０００４】
ここで、図１３及び図１４は留め具１００の拡大斜視図である。
【０００５】
図１３に示すように、留め具１００は、略Ｃ形状の筒状体である第１部分１０１と、この第１部分１０１の内周の一部分に沿うような曲線状の形状に構成されて該第１部分１０１の内部に配設された第２部分１０２と、第１部分１０１の内部に配設され、該第１部分１０１に対して相対的に第２部分１０２を付勢するスプリング（第１部分１０１の内部に配設されているため図示略）と、を備えて構成されている。
【０００６】
このスプリングは、第２部分１０２の一端側を、第１部分１０１の２つの開口端のうち一方の開口端１０１Ａから突出させ、更に、該第２部分１０２の一端側を第１部分１０１の他方の開口端１０１Ｂより第１部分１０１内へと突入させるべく付勢する。
【０００７】
第２部分１０２には、使用者の指先（或いは爪先）が係止される係止用突起１０２Ａが形成されている。
【０００８】
他方、第１部分１０１には、係止用突起１０２Ａの移動領域を構成するスリット１０１Ｃが形成されている。
【０００９】
第２部分１０２の係止用突起１０２Ａにユーザが指先を掛けて図１３の矢印Ｈ方向に押すことにより、スプリングの付勢力に抗して第２部分１０２を第１部分１０１に対して矢印Ｈ方向に移動させ、留め具１００を図１４に示すように開いた状態にすることができる。
【００１０】
この状態で、第１部分１０１を、該第１部分１０１の何れかの端部から装身具１５０が備える被係止部材１５９の係止孔１５９Ａに通し、更に、このように通した状態で、第２部分１０２の係止用突起１０２Ａを離すことにより、図１２に示すように留め具１００を被係止部材１５９に留め付けることができる。
【００１１】
すなわち、ユーザが装身具１５０を身につけるには、連珠体１５２を身体の一部（装身具１５０がネックレスの場合は首）に巻き付けるようにした状態で、上記のように留め具１００を被係止部材１５９に留める。
【００１２】
逆に、装身具１５０を外すには、第２部分１０２の係止用突起１０２Ａを押して留め具１００を図１４に示すように開いた状態で、第１部分１０１を被係止部材１５９から外し、連珠体１５２を身体から離す。
【００１３】
次に、アジャスター２００の構成を説明する。
【００１４】
アジャスター２００は、ボールチェーン１５４の長手方向（図１２の矢印Ｇ方向及びＦ方向）に、ユーザが移動させることが可能となっている。
【００１５】
ただし、ユーザが力を加えない状態では、アジャスター２００は、ボールチェーン１５４との摩擦力により該ボールチェーン１５４に対して静止する。
【００１６】
従って、アジャスター２００をボールチェーン１５４の長手方向における所望の位置に移動させることにより、装身具１５０の長さを所望の長さに設定し、装身具１５０が身体にフィットするように調節することが可能である。
【００１７】
アジャスター２００は、図１５に断面図を示すように、外周部２０１が例えば金属からなる球状のものであり、内部にはボールチェーン１５４との間の摩擦力を生じさせるシリコンゴム２０２が充填されている。
【００１８】
外周部２０１には、アジャスター２００の中心線上に位置する一対の開口部２０３が形成され、この開口部２０３を介してアジャスター２００内にボールチェーン１５４が挿通されている。
【００１９】
なお、図１２に示すような装身具１５０を開示した先行技術文献は見つけることができなかった。
【発明の開示】
【発明が解決しようとする課題】
【００２０】
しかしながら、上記の装身具１５０では、以下のような問題があった。
【００２１】
先ず、留め具１００を被係止部材１５９の係止孔１５９Ａに留め付ける作業は、細かな作業であり、指先の器用さが求められる。具体的には、係止用突起１０２Ａを押して図１４に示すように開いた状態にする作業にも器用さが求められるし、第１部分１０１の一対の開口端１０１Ａ、１０１Ｂと被係止部材１５９の係止孔１５９Ａとを互いに位置合わせする作業にも器用さが求められる。
【００２２】
また、アジャスター２００の使用を重ねるうちに、該アジャスター２００内のシリコンゴム２０２がすり減る結果、次第にアジャスター２００とボールチェーン１５４との摩擦力が得られなくなる。すなわち、アジャスター２００の耐久性が低い。
【００２３】
更に、アジャスター２００を設けることができるボールチェーン１５４の寸法は、アジャスター２００の開口部２０３の径に依存するため、ボールチェーン１５４の寸法が一義に定まってしまう。
【００２４】
本発明は、上記のような問題点を解決するためになされたもので、従来よりも留め付け作業が簡単であるとともに、留め付け対象の部分の寸法にある程度の自由度があり、好ましくは耐久性も高い装身具用留め具及びこれを備える装身具を提供することを目的とする。
【課題を解決するための手段】
【００２５】
上記課題を解決するため、本発明の装身具用留め具は、線状部を備える装身具に対して留め付け可能な装身具用留め具において、第１及び第２本体部と、前記第１及び第２本体部を相互に開閉可能に軸支する軸支部と、前記第１及び第２本体部において、前記軸支部に対して一方の側に位置する部分である挟持部どうしを互いに押し付け合わせるべく前記第１及び第２本体部を付勢する付勢手段と、を備え、前記付勢手段による付勢に従って前記挟持部により前記線状部を挟持することにより、当該装身具用留め具を前記装身具に対して留め付け可能であり、前記付勢手段の付勢力及び前記挟持部の形状は、当該装身具用留め具を前記装身具に対して留め付けた状態で、当該装身具用留め具を前記線状部の長手方向に移動可能となるように設定されていることを特徴としている。
【００２６】
本発明の装身具用留め具においては、前記第１及び第２本体部において、前記軸支部に対して前記挟持部とは反対側の部分である操作部どうしを、前記付勢手段による付勢に抗して互いに近づけるように操作することにより、前記挟持部どうしが開くことが好ましい。
【００２７】
本発明の装身具用留め具においては、前記第２本体部の先端部には、該第２本体部の基端部側に向けて折り返されたように湾曲し、当該装身具用留め具が装身具の線状部から脱落してしまうことを防止する返し部が形成されていることが好ましい。
【００２８】
本発明の装身具用留め具においては、当該装身具用留め具を装身具の一部に留め付けた際に該装身具の一部を保持する前記第１本体部と前記第２本体部との間の空間を保持空間とすると、
前記保持空間内に位置する装身具の一部が前記第１及び第２本体部を軸支する軸支部の方に移動してしまうことを阻止する阻止部が、前記第１及び第２本体部のうちの何れか一方に形成されていることが好ましい。
【００２９】
本発明の装身具用留め具においては、当該装身具用留め具を装身具の一部に留め付けた際に該装身具の一部を保持する前記第１本体部と前記第２本体部との間の空間を保持空間とすると、前記第１及び第２本体部のうちの少なくとも一方の先端部の外側には、装身具の一部を前記保持空間内へと誘導するための傾斜部が形成されていることが好ましい。
【００３０】
本発明の装身具用留め具においては、前記第１本体部の挟持部は、前記第２本体部の挟持部側に向けて細くなる山型形状をなし、前記第２本体部の挟持部は、前記第１本体部の挟持部側に向けて細くなる山型形状をなしていることが好ましい。
【００３１】
本発明の装身具用留め具においては、前記第１及び第２本体部は金属からなることが好ましい。
【００３２】
本発明の装身具は、本発明の装身具用留め具を備えることを特徴としている。
【発明の効果】
【００３３】
本発明によれば、付勢手段による付勢に従って挟持部により線状部を挟持することにより、装身具用留め具を装身具に対して留め付け可能であるため、装身具用留め具を留め付ける作業が従来よりも簡単となるとともに、留め付け対象となる部分の寸法にある程度の自由度を持たせることができる。
【００３４】
また、付勢手段の付勢力及び挟持部の形状は、装身具用留め具を装身具に対して留め付けた状態で、装身具用留め具を線状部の長手方向に移動可能となるように設定されているので、装身具用留め具を線状部の長手方向における所望の位置に移動させることにより、例えば、装身具がネックレスなどの場合に、長さを容易に調節することができる。
【００３５】
また、第１及び第２本体部を金属により構成することができ、この場合、装身具用留め具の耐久性は高いものとなる。
【発明を実施するための最良の形態】
【００３６】
以下、図面を参照して、本発明に係る実施形態について説明する。
【００３７】
〔第１の実施形態〕
図１乃至図３は本実施形態に係る装身具用留め具１０を示す図であり、このうち図１は斜視図、図２は分解斜視図、図３は側面図である。なお、図3に示す装身具用留め具１０は、後述するように、図1及び図2に示す装身具用留め具１０と比べて若干の相違点がある。
【００３８】
図１乃至図３に示すように、本実施形態に係る装身具用留め具１０は、相互に回動可能に軸支された第１及び第２本体部１，２と、第１及び第２本体部１，２の先端部どうしを互いに押し付け合わせるべく第１及び第２本体部１，２を付勢するバネ３（付勢手段）と、第１及び第２本体部１，２を軸支する軸支体４と、を備えている。
【００３９】
軸支体４は、例えば、ピン状のものである。
【００４０】
第１及び第２本体部１，２は、軸支体４を回動軸として相対的に回動可能とされている。
【００４１】
第１及び第２本体部１，２は、使用者により、例えばつまむようにして押圧操作される操作部５、６と、軸支体４を中心として操作部５，６とは反対側に位置し、操作部５，６に対する操作に連動して開閉動作する開閉部７，８と、を備えている。
【００４２】
なお、第１及び第２本体部１，２は、例えば、金属からなることが挙げられるが、第１及び第２本体部１，２の材質はその他（例えば樹脂など）であっても良い。
【００４３】
バネ３は、例えば、図２に示すように、弾性体からなる１本の線材（例えば、金属の線材）を屈曲形成したものであり、軸支体４が内部に挿通される挿通部９と、操作部５における操作部６側の面を該操作部６から遠ざかる方向に付勢する第１付勢部１１と、操作部６における操作部５側の面を該操作部５から遠ざかる方向に付勢する第２付勢部１２と、を備えて構成されている。挿通部９は、例えば、バネ３を構成する線材を複数回巻回して構成されている。
【００４４】
なお、バネ３は、このような構成（シングルトーション）に限らず、例えば、弾性体からなる板を、くの字状に折り曲げ形成してなる板バネであっても良いし、或いは、コイルバネであっても良い。
【００４５】
このような装身具用留め具１０においては、操作部５，６を（バネ３による付勢力に抗して）相互に近づけるように押圧操作することにより、軸支体４を回動軸として第１本体部１，２が相対的に回動し、開閉部７，８が開く（互いに離間する）。
【００４６】
他方、操作部５，６に対する操作を解除すると、バネ３の第１及び第２付勢部１１，１２による付勢力に従って、軸支体４を回動軸として第１及び第２本体部１，２が相対的に回動し、操作部５，６が互いに遠ざかる一方で、開閉部７，８が閉じて、該開閉部７，８の先端部どうしが互いに押し付け合う状態となる。
【００４７】
なお、第１及び第２本体部１，２は、それらの基端部である操作部５，６を２本の指の腹でつまむように押して互いに近づけることにより、それらの開閉部７，８どうしをバネ３の付勢力に抗して互いに離間させることができるような形状・寸法に形成されている。
【００４８】
本実施形態の場合、軸支体４は、例えば、図２に示すように、バネ棒である。
【００４９】
すなわち、軸支体４は、筒状の本体筒１６と、この本体筒１６の両端の開口部よりそれぞれ出没可能となるように該本体筒１６に設けられた左右一対の出没部材１７と、本体筒１６内に圧縮状態で配設された圧縮型のコイルスプリング（図示略）と、を備えている。このうち出没部材１７は、本体筒１６内に配置され該本体筒１６の内周面に沿って摺動する摺動部（図示略）と、この摺動部よりも小径に構成され本体筒１６の内外に出没可能な出没部１８と、からなる。また、本体筒１６の両端部は、コイルスプリング及び一対の摺動部を該本体筒１６内に配置した状態で内側に向けて折り曲げ形成され、一対の摺動部及びコイルスプリングが本体筒１６より脱落防止されている。
【００５０】
また、第１本体部１には、軸支体４の本体筒１６が挿通される左右一対の挿通孔１４が形成され、第２本体部２には、軸支体４の左右一対の出没部材１７の出没部１８がそれぞれ嵌入される左右一対の嵌入孔１５が形成されている。なお、嵌入孔１５は、図示の都合上、１つしか示していない。
【００５１】
装身具用留め具１０の組み立ては、軸支体４を第１本体部１の挿通孔１４内並びにバネ３の挿通部９内に通し、軸支体４の一対の出没部１８を該軸支体４の本体筒１６内に押し込んだ状態で、第２本体部２の一対の嵌入孔１５を軸支体４の軸心に位置合わせし、軸支体４の一対の出没部１８に対する押し込み力を解放することにより行う。すなわち、このようにすることにより、一対の嵌入孔１５内にそれぞれ出没部１８がコイルスプリングの付勢に従って嵌入し、軸支体４によって第１及び第２本体部１，２が相互に回動可能に軸支される（図１及び図２の状態）。
【００５２】
なお、軸支体４は、上記の構成に限らず、例えば、Ｃピンを用いても良いし、カシメピンを用いても良い。Ｃピンとは、筒状の弾性部材（例えば、金属）の長手方向に亘ってスリットを形成したことにより、断面がＣ形状となっているピンのことである。
【００５３】
図１及び図２に示すように、第１本体部１の長手方向において、挿通孔１４よりも先端側の部分には、第２本体部２側に向けて細くなる山型状の挟持部２１が形成されている。この挟持部２１は、例えば、断面形状が略三角形状となっている。
【００５４】
また、図面からはわかりづらいが、同様に、第２本体部２の長手方向において、嵌入孔１５よりも先端側の部分にも、第１本体部１側に向けて細くなる山型状の挟持部２２（図3）が形成されている。
【００５５】
また、第２本体部２の先端部には、第１本体部１側に向けて鈎状に屈曲した返し部２３が形成されている。
【００５６】
第２本体部２は、先端側では、この返し部２３のみが、開閉部７，８が閉じた状態で、第１本体部１に当接する。開閉部７，８におけるその他の部分は、図１及び図３に示すように、該開閉部７，８を閉じた状態で互いの間に間隔が生じるようになっている。
【００５７】
ここで、図３に示すように、第１本体部１の開閉部７の先端部には、開閉部７，８が閉じた際に返し部２３の先端部の一部が嵌入する凹部２４が形成されていても良いし、或いは、図１及び図２に示すように凹部２４は形成されていなくても良い。
【００５８】
ここで、装身具用留め具１０を装身具の一部（ボールチェーンなど）に留め付けた際に該装身具の一部を保持する部分（すなわち、第１本体部１の開閉部７と第２本体部２の開閉部８との間の空間）を保持空間２０とする。
【００５９】
保持空間２０内に位置する装身具の一部が軸支体（軸支部）４の方に移動してしまうことを阻止するための板状の阻止部２５が、例えば、第１本体部１に形成されている。なお、阻止部２５は、第２本体部２に形成しても良い。
【００６０】
また、第１及び第２本体部１，２の開閉部７，８の先端部の外側の面には、装身具の一部（例えば、ボールチェーンなど）を保持空間２０内へと誘導するための傾斜部２６，２７がそれぞれ形成されている。
【００６１】
また、装身具用留め具１０には、該装身具用留め具１０を装身具に連結するための連結用環１３が形成されている。この連結用環１３は、例えば、操作部６の後端部に形成されている。なお、連結用環１３は、第１本体部１に形成しても良い。
【００６２】
図４は、上記のような構造の装身具用留め具１０を備える装身具の一例としての、本実施形態に係るネックレス５０の好適な一例を示す斜視図である。
【００６３】
図４に示すように、ネックレス５０は、例えば、複数個の珠型の装飾部材５１を連ねて構成された連珠体５２と、例えば、この連珠体５２の一端部に対して連結環５３を介して連結された装身具用留め具１０と、連珠体５２の他端部に対して連結環５４を介して連結されたボールチェーン（線状部）５５と、このボールチェーン５５において連珠体５２に連結されているのとは反対側の端部に対して連結環５６を介して連結された装飾部材５７と、を備えて構成されている。
【００６４】
このうちボールチェーン５５は、例えば金属からなる複数の玉状部６１を、例えば金属からなる連結棒状部６２を介して相互に連結したものである。なお、ボールチェーン５５は、両端部にそれぞれ連結環６３を備え、各連結環６３は連結環５４，５６にそれぞれ連結されている。
【００６５】
連珠体５２を構成する装飾部材５１には、各々の中心を直線状に貫く貫通穴（図示略）が形成されている。そして、各装飾部材５１の貫通穴に対して順次、芯糸５７を通すことにより、この芯糸５７により各装飾部材５１が相互に連結されている。なお、芯糸５７としては、例えば、ナイロン糸或いは絹糸などが用いられている。芯糸５７の一端部は連結環５４に連結され、芯糸５７の他端部は連結環５３に連結されている。
【００６６】
次に、装身具用留め具１０を備えるネックレス５０の使用方法について説明する。
【００６７】
ユーザがネックレス５０を首につけるには、連珠体５２を首に巻き付けるようにした状態で、装身具用留め具１０をボールチェーン５５に対して留め付ける。
【００６８】
その留め付け動作は、例えば、以下のようにして行うことができる。
【００６９】
先ず、操作部５，６を２本の指でつまむようにして互いに近づけると、この動きに連動して開閉部７，８（すなわち、第１及び第２本体部１，２の先端部）が互いに離間する。
【００７０】
この状態で、開閉部７，８の間にボールチェーン５５を位置合わせし、操作部５，６に対する操作を解除すると、バネ３の付勢力に従って開閉部７，８が閉じて、挟持部２１，２２によりボールチェーン５５の連結棒状部６２が挟み込まれる。
【００７１】
これにより、装身具用留め具１０がボールチェーン５５に留め付けられる（図４の状態）。
【００７２】
ここで、このように装身具用留め具１０をボールチェーン５５に留め付けた状態のままで、装身具用留め具１０をボールチェーン５５の長手方向（図４の矢印Ａ方向及びＢ方向）に移動させることができるように、バネ３の付勢力の強さや挟持部２１，２２の形状などが適宜に設定されている。
【００７３】
このため、装身具用留め具１０をボールチェーン５５に留め付けた状態のままで、装身具用留め具１０をボールチェーン５５の長手方向における所望の位置に移動させることにより、ネックレス５０の（首周りの）長さを所望の長さに設定し、ネックレス５０を使用者の好みの長さに調節することができる。
【００７４】
以上のような実施形態によれば、操作部５，６を操作して挟持部２１，２２を開き、バネ３による付勢に従って挟持部２１，２２によりボールチェーン５５を挟持することにより、装身具用留め具１０をネックレス５０に対して留め付け可能であるため、装身具用留め具１０を留め付ける作業をワンタッチで行うことができ、従来よりも簡単となるとともに、装身具用留め具１０の留め付け対象となる部分（例えば、ボールチェーン５５）の寸法、形状及び材質にある程度の自由度を持たせることができる。
【００７５】
また、バネ３の付勢力及び挟持部２１，２２の形状は、装身具用留め具１０をボールチェーン５５に対して留め付けた状態で、装身具用留め具１０をボールチェーン５５の長手方向に移動可能となるように設定されているので、装身具用留め具５５をボールチェーン５５の長手方向における所望の位置に移動させることにより、ネックレス５０の長さを容易に調節することができる。
【００７６】
また、第２本体部２の先端部には、フック状の返し部２３が形成されているので、装身具用留め具１０がボールチェーン５５から脱落してしまうことが好適に防止される。
【００７７】
また、装身具用留め具１０は、装身具の一部（具体的には、例えば、ボールチェーン５５）が軸支体（軸支部）４の方に移動してしまうことを阻止するための板状の阻止部２５を備えているため、第１及び第２本体部１，２における軸支体４の周囲の部分がボールチェーン５５を噛んでしまうことがない。
【００７８】
また、装身具用留め具１０の留め付け作業は、操作部５，６をつまんで押し付け合うようにして開閉部７，８を開いた後で、挟持部２１，２２の間にボールチェーン５５を位置させて操作を解除することによって行うことができる他に、次のようにして行うこともできる。
【００７９】
すなわち、上記のように、第１及び第２本体部１，２の先端部の外側の面には、装身具の一部（例えば、ボールチェーン５５）を保持空間２０内へと誘導するための傾斜部２６，２７がそれぞれ形成されている。
【００８０】
このため、操作部５，６をつまんで押し付け合うようにして開閉部７，８を開かないでも、傾斜部２２，２３をボールチェーン５５に突き当てた状態で装身具用留め具１０をボールチェーン５５側に押し付けることにより、ボールチェーン５５を保持空間２０内に入り込ませ、装身具用留め具１０をボールチェーン５５に留め付けることができる。
【００８１】
〔第２の実施形態〕
図５は第２の実施形態に係る装身具用留め具１０を備えるネックレス６０を示す斜視図である。
【００８２】
本実施形態に係るネックレス６０は、以下に説明する点でのみ上記の第１の実施形態に係るネックレス５０と相違し、その他の点ではネックレス５０と同様に構成されている。
【００８３】
本実施形態の場合、装身具用留め具１０は、装飾部材６１を連結するための連結環６２を、例えば、第１本体部１に備えている。
【００８４】
そして、この連結環６２には、連結環６３を介して、装飾部材６１が連結されている。
【００８５】
第２の実施形態によれば、第１の実施形態と同様の効果が得られるのに加えて、装身具用留め具１０の連結環６２に装飾部材６１を設けたことにより、ネックレス６０の装飾性が向上する。
【００８６】
〔第３の実施形態〕
図６は第３の実施形態に係る装身具用留め具１０を示す斜視図である。
【００８７】
第３の実施形態に係る装身具用留め具１０は、以下に説明する点でのみ上記の第１の実施形態に係る装身具用留め具１０と相違し、その他の点では第１の実施形態に係る装身具用留め具１０と同様に構成されている。
【００８８】
図６に示すように、本実施形態の場合、挟持部２１，２２には、該挟持部２１，２２により挟持される部分（装身具の一部）が傷つくことを防止するとともに、該挟持部２１，２２により挟持される部分との間の摩擦力を高めるための緩衝材７１，７２が設けられている。
【００８９】
この緩衝材７１，７２は、例えば、ゴム、革、ビニール、合成樹脂などからなることが挙げられる。
【００９０】
緩衝材７１，７２は、例えば、接着剤により挟持部２１，２２に貼り付けて固定することが挙げられるが、加熱により収縮する合成樹脂の場合には、挟持部２１，２２に外挿した状態で加熱して収縮させ、挟持部２１，２２に取り付けることができる。
【００９１】
第３の実施形態によれば、第１の実施形態と同様の効果が得られるのに加えて、緩衝材７１，７２を更に備えるので、装身具を傷つけることがない。また、挟持部２１，２２と、該挟持部２１，２２により挟持した部分との摩擦力が高まるので、装身具用留め具１０を安定的に留め付けることができる。
【００９２】
なお、緩衝材７１，７２には、装飾性を持たせることも好ましい。
【００９３】
更に、緩衝材７１，７２は、挟持部２１，２２に巻き付けるようにして設ける以外に、挟持部２１，２２に形成した嵌入凹部（図示略）に対して差し歯のように嵌め込み及び接着して設けることとしても良い。
【００９４】
〔第４の実施形態〕
図７は第４の実施形態に係るペンダント７０を示す正面図、図８はペンダント７０の側断面図である。
【００９５】
図７及び図８に示すように、本実施形態に係るペンダント７０は、ネックレスチェーン７１に留め付けられた装身具用留め具１０と、この装身具用留め具１０の連結環１３に連結された装飾部材７２と、を備えて構成されている。
【００９６】
本実施形態の場合の装身具用留め具１０は、図８に示すように、例えば、第２本体部２の先端部に連結環１３が設けられている点でのみ上記の第１の実施形態に係る装身具用留め具１０と相違する。
【００９７】
第４の実施形態によれば、装身具用留め具１０と装飾部材７２とが一体化した部分を、装身具用留め具１０により容易にネックレスチェーン７１に留め付けたり、或いは、取り外して別のデザインのものに交換したりすることができる。
【００９８】
〔第５の実施形態〕
図９は第５の実施形態に係る装身具用留め具１０を示す側断面図である。
【００９９】
図９に示すように、本実施形態の場合の装身具用留め具１０は、例えば、第２本体部２の先端部に第１の本体部１側に向けて立設された針状部８１が設けられている点と、第１本体部１の先端部に開閉部７，８が閉じた際に針状部８１が嵌入する凹部８２が設けられている点と、上記の返し部２３を備えていない点と、の３つの点でのみ上記の第４の実施形態における装身具用留め具１０と相違する。
【０１００】
第５の実施形態によれば、装身具用留め具１０は、第４の実施形態と同様の使用方法ができる他に、針状部８１（及び凹部８２）を備えるので、例えば、衣服（ワイシャツなど）の襟やポケットなどに留め付けて用いることもできる。
【０１０１】
〔第６の実施形態〕
図１０は第６の実施形態に係る装身具用留め具１０を備えるネックレス９０を示す正面図、図１１はネックレス９０の側面図である。
【０１０２】
本実施形態の場合、装身具用留め具１０は、挟持部２１，２２の構造が、上記の各実施形態と相違する。
【０１０３】
すなわち、例えば、図１１に示すように、挟持部２１，２２の左右の面には、該挟持部２１，２２により連珠体５２を挟持した際に該連珠体５２の装飾部材５１の一部が入り込む凹部９１，９２が形成されている。
【０１０４】
なお、図１１には、挟持部２１，２２の片側の面しか示していないが、図１１に示される面の裏面側にも、同様に、凹部９１，９２が形成されている。
【０１０５】
更に、例えば、挟持部２２には、段差部９３が形成され、この段差部９３により、連珠体５２が軸支体（軸支部）４の方に移動してしまうことが阻止されるようになっている。
【０１０６】
なお、本実施形態の場合、連珠体（線状部）５２の装飾部材５１は、例えば、極小粒の真珠玉（芥子パール）からなることが挙げられる。
【０１０７】
また、装飾部材５１の間には、例えば、図１０に示すように、シリコンゴムパッキン５８を介装しても良い。
【０１０８】
本実施形態の場合、装身具用留め具１０を連珠体５２に留め付けると、挟持部２１，２２は、隣り合う装飾部材５１の間に位置する。この状態で、これら２つの装飾部材５１の一部分ずつが、挟持部２１，２２の左右の凹部９１，９２内に位置して位置決めされる。
【０１０９】
第６の実施形態によれば、上記の第１の実施形態と同様の効果が得られる他に、挟持部２１，２２には凹部９１，９２が形成されているので、連珠体５２の装飾部材５１が一層安定する。
【０１１０】
なお、上記の各実施形態では、本発明に係る装身具としてネックレス５０，９０、ペンダント７０のみを例示したが、この例に限らず、例えば、ブレスレットやアンクレットなどの装身具にも同様に適用することができる。
【０１１１】
また、傾斜部２２，２３は、第１及び第２本体部１，２の双方に形成されている例を説明したが、傾斜部２２，２３は、第１及び第２本体部１，２のうちの何れか一方にのみ形成されていても良い。
【図面の簡単な説明】
【０１１２】
【図１】第１の実施形態に係る装身具用留め具を示す斜視図である。
【図２】第１の実施形態に係る装身具用留め具を示す分解斜視図である。
【図３】第１の実施形態に係る装身具用留め具を示す側面図である。
【図４】第１の実施形態に係るネックレスを示す斜視図である。
【図５】第２の実施形態に係る装身具用留め具を備えるネックレスを示す斜視図である。
【図６】第３の実施形態に係る装身具用留め具を示す斜視図である。
【図７】第４の実施形態に係るペンダントを示す正面図である。
【図８】第４の実施形態に係るペンダントを示す側断面図である。
【図９】第５の実施形態に係る装身具用留め具を示す側断面図である。
【図１０】第６の実施形態に係る装身具用留め具を備えるネックレスを示す正面図である。
【図１１】第６の実施形態に係るネックレスを示す側面図である。
【図１２】従来の装身具を示す斜視図である。
【図１３】従来の留め具を示す斜視図である。
【図１４】従来の留め具を示す斜視図である。
【図１５】従来のアジャスターを示す断面図である。
【符号の説明】
【０１１３】
１０    装身具用留め具
１      第１本体部
２      第２本体部
３      バネ（付勢手段）
４      軸支体
１９    返し部
２０    保持空間
２１    阻止部
２２    傾斜部
２３    傾斜部
５５    ボールチェーン（線状部）
５２    連珠体（線状部）
５０    ネックレス（装身具）
７０    ペンダント（装身具）
９０    ネックレス（装身具）
【図１】
2007307065.tif 000003
【図２】
2007307065.tif 000004
【図３】
2007307065.tif 000005
【図４】
2007307065.tif 000006
【図５】
2007307065.tif 000007
【図６】
2007307065.tif 000008
【図７】
2007307065.tif 000009
【図８】
2007307065.tif 000010
【図９】
2007307065.tif 000011
【図１０】
2007307065.tif 000012
【図１１】
2007307065.tif 000013
【図１２】
2007307065.tif 000014
【図１３】
2007307065.tif 000015
【図１４】
2007307065.tif 000016
【図１５】
2007307065.tif 000017